(57)【要約】  本発明は、物品を展示するための装置及び方法に関し、更に詳細には、ビニール製の音楽レコードを壁に掛けて展示するための装置及び方法に関する。装置（２）は、互いに回転自在に連結された第１及び第２の部品（６、４）を備え、一方の部品は、展示されるべき物品を見るためのウィンドウを有し、一方の部品は、二つの部品の相対的な回転を制限するためのキャッチ部材（１８）を有し、一方の部品は、装置を壁に取り付ける手段を有している。
2008539923.tif 000002
【特許請求の範囲】
【請求項１】
物品を展示するための装置において、
互いに回転自在に連結された第１及び第２の部品を備え、
一方の部品は、展示されるべき物品を見るためのウィンドウを有し、一方の部品は、二つの部品の相対的な回転を制限するためのキャッチ部材を有し、一方の部品は、装置を壁に取り付ける手段を有している、装置。
【請求項２】
請求項１に記載の装置において、
互いに隣接した状態となるよう回転させられる前記二つの部品を解放自在に保持する手段を更に備えた、装置。
【請求項３】
請求項２に記載の装置において、
前記解放自在に保持する手段は、弾性的に変形可能なクリップを有している、装置。
【請求項４】
請求項１乃至３のいずれか一項に記載の装置において、
前記二つの部品のうち一方のものは、前記二つの部品間に配置された物品を前記二つの部品のうちの他方のものに押し付ける手段を有している、装置。
【請求項５】
請求項４に記載の装置において、
前記押し付け手段は、前記二つの部品のうち一方から他方に向かって延びる弾性的に変形可能な部材を有する、装置。
【請求項６】
請求項４又は５に記載の装置において、
前記押し付け手段は、前記二つの部品のうち一方の材料を切って曲げたものである、装置。
【請求項７】
請求項１乃至６のいずれか一項に記載の装置において、
前記キャッチ部材は、前記二つの部品が互いに対して９０°より大きく回転しないように構成されている、装置。
【請求項８】
請求項１乃至７のいずれか一項に記載の装置において、
前記キャッチ部材は、前記二つの部品が互いに対して４５°より大きく回転しないように構成されている、装置。
【請求項９】
請求項１乃至８のいずれか一項に記載の装置において、
前記キャッチ部材は、前記二つの部品が互いに対して１５°より大きく回転しないように構成されている、装置。
【請求項１０】
レコードのジャケットの展示装置である、請求項１乃至９のいずれか一項に記載の装置。
【請求項１１】
請求項１乃至１０のいずれか一項に記載の装置の使用方法において、
音楽レコードのジャケットを前記二つの部品間に配置する工程を備えた、方法。
【請求項１２】
請求項１１に記載の方法において、
前記装置は壁に取り付けられる、方法。
【請求項１３】
実質的に添付図面を参照して記載された物品を展示するための装置。
【請求項１４】
実質的に添付図面を参照して記載された装置を使用するための方法。
【発明の詳細な説明】
【技術分野】
【０００１】
本発明は、物品を展示するための装置及び方法に関し、更に詳細には、ビニール製の音楽レコードを壁に展示するための装置及び方法に関するが、これに限定されない。
【背景技術】
【０００２】
ビニール製の音楽レコードは、従来、使用していない場合には、傷や汚れ等によりレコードが損傷しないように、紙や板紙でできたジャケット即ち小袋に入れて保持された。レコードのジャケットには、一般的には、レコードに収容された音楽に合った図柄等が設けられている。多くの場合、レコードのジャケットのデザインは、これを壁等に展示することを正当化するに足る十分な芸術性を備えている。しかしながら、図柄等は、一般的には、おそらくは壁に展示するためにフレームを装着することが行われてきたが、この目的で使用された従来のフレームは、その中に収容された図柄に簡単にアクセスするために素早く開くには役立たなかった。レコードのジャケットの場合には、ジャケット内に保持されたレコードを使用できるようにするために頻繁にジャケットにアクセスする必要があるということが理解されよう。従って、レコードのジャケットを従来の絵画用フレームシステムで展示することは、展示されているジャケット内に入ったレコードの音楽を聞こうとする使用者にとって満足のいくものではなかった。
【発明の開示】
【発明が解決しようとする課題】
【０００３】
本発明の目的は、レコードのジャケットを展示できると同時に、ジャケット内に保持されたレコードに容易にアクセスできる手段を提供することである。
【課題を解決するための手段】
【０００４】
本発明の第１の態様は、物品を展示するための装置において、互いに回転自在に連結された第１及び第２の部品を備え、一方の部品は、展示されるべき物品を見るためのウィンドウを有し、一方の部品は、二つの部品の相対的回転を制限するためのキャッチ部材を有し、一方の部品は、装置を壁に取り付けるための手段を有している、装置を提供することである。
【０００５】
理想的には、装置は、互いに隣接した状態となるよう回転させられる二つの部品を解放自在に保持する手段を含む。解放自在に保持する手段は、弾性的に変形可能なクリップを有していてもよい。更に、前記二つの部品のうち一方のものは、二つの部品間に配置された物品を二つの部品のうちの他方のものに押し付ける手段を有していてもよい。押し付け手段は、二つの部品の一方から他方に向かって延びる弾性的に変形可能な部材を有していてもよい。押し付け手段は、好ましくは、前記二つの部品のうち一方の材料を切って曲げたものである。
【０００６】
好ましくは、キャッチ部材は、二つの部品が互いに対して９０°より大きく回転しないように構成されている。更に好ましくは、キャッチ部材は、二つの部品が互いに対して４５°より大きく回転しないように構成されている。もっと好ましくは、キャッチ部材は、二つの部品が互いに対して１５°より大きく回転しないように構成されている。
【０００７】
本発明の第２の態様は、上文中に説明したレコードのジャケットの展示装置を提供することである。
【０００８】
本発明の第３の態様は、上文中に説明した装置のうちの任意の装置を使用する方法を提供することである。この方法は、音楽のレコードのジャケットを前記装置の前記二つの部品間に配置する工程を含む。更に、装置は、理想的には壁に取り付けられる。
【発明を実施するための最良の形態】
【０００９】
次に、本発明の一実施形態を、添付図面を参照して説明する。
【００１０】
レコードに関連するレコードのジャケットを壁に便利に取り付けることができるように、特にビニール製の音楽レコードを保持するように設計されたディスプレー装置２を添付図面に示す。ディスプレー装置２はレコードのジャケットを展示するための装置であるが、装置２の大きさ及び形状は、例えばコンパクトディスク（ＣＤ）又は関連したジャケット等の何らかの他の物品を展示できるように変更してもよい。
【００１１】
図１に示すように、ディスプレー装置２は三つの主要な構成要素を備えている。これらの三つの構成要素は、背板４、ウィンドウ６、及びフレーム８である。組み立てた状態のディスプレー装置２では、ウィンドウ６がフレーム８内に固定され、これらの２つの構成要素を背板４に回転自在に連結する。更に詳細には、背板４の下縁部１０をウィンドウ６の下縁部１２に回転自在に連結する。回転自在の連結は、ウィンドウ６の両側部から延びる全体に円筒形形状のピン１４によって行われる。これらのピン１４は、背板４の下縁部１０に設けられた凹所１６に各々配置できる。これによって、背板４と、ウィンドウ６及びフレーム８の組合せ体とを、以下に詳細に説明するように、開放形態と閉止形態との間で移動させてもよい。
【００１２】
ウィンドウ６は、更に、互いから離間するよう回転させられる背板４及びウィンドウ６の回転の度合いを制限するキャッチ部材１８を有している。添付図面に示す実施形態では、ウィンドウ６の両側に二つのキャッチ部材１８が設けられている。しかしながら、単一のキャッチ部材１８を使用してもよいということは理解されよう。組み立てた状態のディスプレー装置２では、各キャッチ部材１８がウィンドウ６の後部から背板４の後部まで延びている。図示の実施形態では、これは、キャッチ部材１８が通過できる穴２０を背板４に設けることによって容易になされる。キャッチ部材１８は、背板４の後部を中心としてループをなすように適切に湾曲しているか或いはフック状になっており、これによって、背板４及びウィンドウ６を互いから遠ざかる方向に所定の度合い分回転させたとき、キャッチ部材１８が背板４の後側に当接するということが理解されよう。詳細には、キャッチ部材は、ウィンドウ６の前方への回転が１５°以下であるように構成されている。使用に当たっては、この特徴により、ディスプレー装置２を壁に取り付けるときにウィンドウ６が危険な態様で前方に倒れないようにする。
【００１３】
背板４、ウィンドウ６、及びフレーム８の詳細な設計は、添付図面のうち、図６乃至図１７に示す様々な図から当業者にとって明らかになるであろう。図１１を参照すると、各キャッチ部材１８は、背板４の後面に関してループをなすための傾斜面４８を有する。傾斜面４８は、ウィンドウ６に対して鋭角をなすように構成されている。この角度は、ディスプレー装置２が開放形態にある場合のウィンドウ６と背板４との間の鋭角と等しい。これによって、キャッチ部材１８と背板４との間に大きな接触面積が提供される。
【００１４】
配置用の縁２３が、二次フレーム２２の後側まで、その下縁及び側縁に沿って延びている。縁２３は、レコードのジャケット等の展示されるべき物品を受け入れるような大きさ及び形状となっている。縁２３の大きさは、理想的には、縁２３に受け入れられるレコードのジャケットが側方に過度にスライドしないような大きさである。
【００１５】
添付図面により、ピン１４及びキャッチ部材１８が、ガラス２４の枠が固定された二次フレーム２２の周囲から延びており、これと一体であってもよいということが理解されよう。二次フレーム２２の美観は、二次フレーム２２及び背板４の周囲を覆う形状及び大きさの一次フレーム８によって改良される。ディスプレー装置２が閉止形態にあるとき、フレーム８及びガラス２４しか見えないような構成となっている。
【００１６】
ウィンドウ６及びフレーム８は、任意の適切な手段によって互いに固定されていてもよい。例えば、フレーム８は、弾性ばねクリップによってウィンドウ６の二次フレーム２２にクリップ止めされていてもよい。別の態様では、ウィンドウ６及びフレーム８は、適切な接着剤によって互いに固定されていてもよい。理想的には、フレーム８は、美的外観が異なるフレーム８との交換が容易となるように、ウィンドウ６に取り外し自在に固定される。その場合、様々な形状、色、外見、及び材料のフレームを、同じウィンドウ６及び背板４に使用できる。
【００１７】
背板４の上縁部２６及びフレーム８の上縁部２８には、ディスプレー装置２を閉止形態に置いたとき、互いに係合するクリップ部材３０、３２が設けられている。クリップ部材３０、３２が相互係合することにより、ディスプレー装置２が誤って開放されることがないようにする。クリップ部材３０、３２は、ディスプレー装置２を閉止形態から開放形態にすることができるように、選択的に互いのものから解放できる。任意の適切なキャッチ機構又はラッチ機構をクリップ部材３０、３２として使用してもよい。しかしながら、クリップ部材３０、３２として、ディスプレー装置２を閉止形態に移動させるのに応じてスナップ嵌めし、互いに係合するような弾性的なばねを提供するのが望ましいということが理解されよう。理想的には、クリップ部材３０、３２は、使用者がこれらのクリップ部材３０、３２を積極的に係合解除しないと、ディスプレー装置２を閉止形態から移動できないようになっている。
【００１８】
背板４は、凹所１６、穴２０、及び背板クリップ部材３０が配置された周囲縁３４を有している。周囲縁３４は、二次フレーム２２の縁２３を受け入れる大きさ及び形状となっている。展示されるべき物品の望ましからぬ移動の制限は、背板４から切り出た一つ又はそれ以上の弾性ばねフィンガーによって補助される。添付図面に示す実施形態では、四つのこのようなフィンガー３６、３８、４０、４２が設けられている。これらのフィンガーは、閉止形態において、展示されるべき物品をウィンドウ６のガラス２４に押し付けるように背板４の前側に曲げてある。これは、展示されるべき物品が望ましからぬ態様で移動することがないようにするばかりでなく、良好な展示の品質を提供する。更に、フィンガーが弾性であり且つ可撓性であるため、ディスプレー装置は、様々な厚さのレコードのジャケットを容易に受け入れることができる。
【００１９】
背板４から部材を切り出して曲げることによってフィンガー３６、３８、４０、４２を形成しようとする場合には、背板４は、適切な材料から製造されなければならないことが理解されよう。
【００２０】
必要であれば、壁又はディスプレー装置のいすれも損傷することなく、ディスプレー装置２を壁に正しく取り付けられるようにするのを補助するため、一つ又はそれ以上のスペーサ部材４４を背板４の後側に設けてもよい。スペーサ部材は、更に、ディスプレー装置２が、この装置が取り付けられた壁に対して捩じれたり回転したりスライドしたりしないようにするのを補助する。スペーサ部材４４は、ゴム製であってもよい。
【００２１】
更に、背板４の後側には、ディスプレー装置２を壁に取り付けるための適切な手段４６が設けられる。添付図面に示す実施形態では、壁から延びる絵画フック、ねじ、又は他の突出部を受け入れる穴が、この目的で設けられる。別の態様では、背板４には、壁にフック止めするためのねじ又は他の突出部（穴ではない）が設けられていてもよい。
【００２２】
更に、背板４には円形の切欠き４８が設けられているということが添付図面からわかる。この特徴は、ディスプレー装置２の全体の質量を低減するのを補助し、物品がくっついてしまった場合に物品をディスプレー装置２から取り外す場合に役立つ。更に、切欠き４８により、ジャケットを装置２から取り外す必要なしにレコードのジャケットの後側を読む（又は見る）ことができる。
【００２３】
使用に当たっては、ディスプレー装置２を穴４６によって壁に取り付ける。クリップ部材３０、３２を操作することによって、ウィンドウ６及びフレーム８を、背板４の上縁部２６にラッチ止めされた状態から外してもよい。次いで、背板４及びフレーム８の上縁部２６、２８を互いのものから離すように、ウィンドウ６及びフレーム８を背板４の下縁部１０を中心として下方に回転させてもよい。ウィンドウ６及びフレーム８の回転は、キャッチ部材１８（特に各キャッチ部材１８の傾斜面４８）と背板４との係合によって制限される。このように回転を制限することにより、ウィンドウ６及びフレーム８が下方にスライドして怪我を生じる危険をなくす。
【００２４】
ディスプレー装置２が開放形態にある場合には、ディスプレー装置２の内部へのレコード及びレコードのジャケットの出し入れを便利に行うことができる。次いで、装置２を閉止形態に戻すことができる。
【００２５】
本発明は、上文中に説明した特定の実施形態に限定されない。他の構成及び適切な材料は、当業者に明らかであろう。
【図面の簡単な説明】
【００２６】
【図１】本発明によるディスプレー装置の分解斜視図である。
【図２】閉止形態のディスプレー装置の斜視図である。
【図３】開放形態のディスプレー装置の斜視図である。
【図４】閉止形態でありレコードのジャケットを保持したディスプレー装置の斜視図である。
【図５】レコードのジャケットを部分的に取り出した開放形態のディスプレー装置の斜視図である。
【図６】ディスプレー装置の背板の前側の平面図である。
【図７】図６の背板の側面図である。
【図８】図６に示す背板の後側の平面図である。
【図９】図６の背板の底面図である。
【図１０】ディスプレー装置のウィンドウの前側の平面図である。
【図１１】図１０のウィンドウの側面図である。
【図１２】図１０に示すウィンドウの後側の平面図である。
【図１３】図１０のウィンドウの底面図である。
【図１４】ディスプレー装置のフレームの前側の平面図である。
【図１５】図１４のフレームの側面図である。
【図１６】図１４に示すフレームの後側の平面図である。
【図１７】図１４のフレームの底面図である。
【図１】
2008539923.tif 000003
【図２】
2008539923.tif 000004
【図３】
2008539923.tif 000005
【図４】
2008539923.tif 000006
【図５】
2008539923.tif 000007
【図６】
2008539923.tif 000008
【図７】
2008539923.tif 000009
【図８】
2008539923.tif 000010
【図９】
2008539923.tif 000011
【図１０】
2008539923.tif 000012
【図１１】
2008539923.tif 000013
【図１２】
2008539923.tif 000014
【図１３】
2008539923.tif 000015
【図１４】
2008539923.tif 000016
【図１５】
2008539923.tif 000017
【図１６】
2008539923.tif 000018
【図１７】
2008539923.tif 000019
【国際調査報告】
2008539923.tif 000020
2008539923.tif 000021